(57)【要約】【課題】簡易な構成にて、既存のスキー板やスノーボードに容易に取り付けることができ、それによって滑走性能のより一層の向上を実現できる雪上滑走抵抗低減装置、及び、これを装備したスキー板を提供することを課題とする。【解決手段】雪上滑走抵抗低減装置１は、密封可能なケース２内に永久磁石３を配置し、前記ケース２を、スキー板等の滑走具の前方部分上面に固定可能にして成る。好ましくは、前記ケース２は、金属、プラスチック、塩化ビニールレザー、合成皮革又は人工皮革で製造する。また、前記ケース２内に、前記永久磁石３を包囲するようにしてセラミックス層４を設けることもある。【選択図】図１
2008237363.tif 000002
【特許請求の範囲】
【請求項１】
密封可能なケース内に永久磁石を配置し、前記ケースを、スキー板等の滑走具の前方部分上面に固定可能にして成る雪上滑走抵抗低減装置。
【請求項２】
前記ケースは、金属、プラスチック、塩化ビニールレザー、合成皮革又は人工皮革で製造される請求項１に記載の雪上滑走抵抗低減装置。
【請求項３】
前記ケース内に、前記永久磁石を包囲するようにしてセラミック層を設けた請求項１又は２に記載の雪上滑走抵抗低減装置。
【請求項４】
前記セラミックス層は、粒状セラミックスと粉末状セラミックスを混合した複合セラミックスである請求項３に記載の雪上滑走抵抗低減装置。
【請求項５】
前記セラミックス層は、エポキシ樹脂等の接着剤やバインダーを介し、予め前記永久磁石を包囲した状態に成形固化されたものである請求項３又は４に記載の雪上滑走抵抗低減装置。
【請求項６】
請求項１乃至５のいずれかに記載の雪上滑走抵抗低減装置を、先端から１０ｃｍ程の反り上がり部の起点付近に固定したことを特徴とするスキー板。
【発明の詳細な説明】
【技術分野】
【０００１】
本発明は雪上滑走抵抗低減装置、より詳細には、スキー板やスノーボード等の雪上滑走具に装備され、雪上滑走時にそれらの滑走面と雪面との間の摩擦抵抗を緩和して滑走性能を向上させる、雪上滑走抵抗低減装置及びこれを装備したスキー板に関するものである。
【背景技術】
【０００２】
スキー板やスノーボードの滑走面には、雪面との間の摩擦抵抗を緩和して、滑走性能を高めるために、ワックスを浸透させるワクシングが行われる。しかるに、１００分の１秒を争うスキーやスノーボードのスピード競技においては、ワクシングは当然のこととして、それ以外に、より一層滑走性能を向上させるための手段を講じることが求められている。
【０００３】
この滑走性能の向上を目指すものとして、遠赤外線の融雪効果を利用する試みがなされた。例えば、実開平４−９９９８２号公報記載のものは、スキー板のソールに使用されているポリエチレン中にアルミナ系、ジルコニア系等のセラミック粒子を混入させ、あるいは、ソールと芯材との間にセラミックス層を全面的又は部分的に点在させている。
【０００４】
また、特公平６−４９０９０号公報記載のものは、滑走具の底面に、遠赤外線放射物質層を接合するか、遠赤外線放射物質塗布層を設けるかし、これらの層に圧力エネルギーが加えられることにより、遠赤外線が雪又は氷に放射されるようにしている。
【０００５】
しかし、これらの試みは、企図した作用効果が十分に実証されておらず、広く実用化されるに至っていない。
【０００６】
【特許文献１】実開平４−９９９８２号公報
【特許文献２】特公平６−４９０９０号公報
【発明の開示】
【発明が解決しようとする課題】
【０００７】
本発明は上記事情に鑑みてなされたもので、簡易な構成にて、既存のスキー板やスノーボードに容易に取り付けることができ、それによって滑走性能のより一層の向上を実現できる雪上滑走抵抗低減装置、及び、これを装備したスキー板を提供することを課題とする。
【課題を解決するための手段】
【０００８】
本発明者は、上記課題を解決するために種々研究した結果、永久磁石の電磁エネルギーを利用することに想い到り、本発明を完成するために到ったもので、上記課題を解決するための本発明に係る雪上滑走抵抗低減装置は、密封可能なケース内に永久磁石を配置し、前記ケースを、スキー板等の滑走具の前方部分上面に固定可能にして成る。
【０００９】
好ましくは、前記ケースは、金属、プラスチック、塩化ビニールレザー、合成皮革又は人工皮革で製造する。また、前記ケース内に、前記永久磁石を包囲するようにしてセラミックス層を設けることもある。前記セラミックス層は、粒状セラミックスと粉末状セラミックスを混合した複合セラミックスとし、前記セラミックス層は、エポキシ樹脂等の接着剤やバインダーを介し、予め前記永久磁石を包囲した状態に成形固化することができる。
【００１０】
上記課題を解決するための本発明に係るスキー板は、上記いずれかの構成の雪上滑走抵抗低減装置を、先端から１０ｃｍ程の反り上がり部の起点付近に固定したことを特徴とする。
【発明の効果】
【００１１】
本発明に係る雪上滑走抵抗低減装置及びスキー板は上述したとおりであって、これによれば、ケース内の永久磁石によって滑走面付近に電磁場が形成されるため、雪の水分子が電磁エネルギーを受けることによって、スキー板の滑走面と雪面との間の摩擦抵抗が緩和されることが期待でき、それにより、滑走抵抗が低減されて滑走性能が向上する効果がある。
【発明を実施するための最良の形態】
【００１２】
本発明を実施するための最良の形態について、添付図面に依拠して説明する。本発明に係る雪上滑走抵抗低減装置１は、ケース２内に永久磁石３を配置し、必要に応じ、永久磁石３の周囲空隙を埋めるように、セラミックス層４を配して密封したものである。
【００１３】
通例、ケース２は比較的平坦なもので、四角形状、円形状その他の形状とされる。ケース２は、ステンレス等の金属製としたり、プラスチック製としたりすることもできるが、高速滑走の支障とならないようにできるだけ軽量であることが望まれるところから、塩化ビニールレザー製、合成皮革製又は人工皮革製とすることが推奨される。また、本装置１は、滑走中に激しい振動を受けたり、捩り力を受けたりするので、柔軟性があってそれらの外力に対処し得るという観点からも、塩化ビニールレザー、合成皮革又は人工皮革製であることが推奨される。
【００１４】
永久磁石３は、通例、ケース２と同形の四角形、円形等とし、必要に応じ、ケース２の天面又は底面に接着固定する。
【００１５】
セラミックス層４としては、粒状セラミックスと粉末状セラミックスを混合した複合セラミックスを用いることができ、セラミックスとしては、できるだけ波動数値が高くて遠赤外線放射率が高い、好ましくは天然セラミックスを、粉状又は粒状に粉砕したものを用いる。セラミックス層４は、予め、エポキシ樹脂等の接着剤や適宜バインダーを介し、永久磁石３を囲んだ状態に成形固化することができるが、粒状及び又は粉状のセラミックスを単に、永久磁石３の周りに充填し、あるいは、押し固めて、ケース２を高周波ウェルダー処理等の方法で密封することとしてもよい。
【００１６】
雪上滑走抵抗低減装置１は、その底面５を、接着剤、両面テープ、ネジ止め等によって、スキー板１０やスノーボードの上面の先端部付近に固定する。スキー板１０の場合、好ましくは、その固定位置は、ソール面の先端部寄りの接雪部付近、好ましくは、先端から１０ｃｍ程のところ（先端反り上がり部の起点部付近）とする。その位置が、本発明の所期の効果を発揮させる上で最適である。
【００１７】
上記構成の本装置１を上記のように設置して滑走すると、滑走エネルギーと共に、本装置１の永久磁石３から生ずる電磁エネルギーが、スキー板１０の滑走面付近に瞬時に電磁場を形成し、雪の水分子に対して、滑走エネルギー、電磁エネルギー等を与えると考えられる。そして、その結果、雪面とスキー板１０の滑走面との間の摩擦抵抗が緩和され、以て滑走性能が向上するものと推測される。また、セラミックス層４を設けた場合には、遠赤外線振動エネルギーも相乗的に作用すると考えられる。
【００１８】
上記推測を実証し、本装置１の有効性を確認するために、実際に本装置１を装備しての滑走テストを行った。本装置１としては、ケース２がステンレス製で、全体の厚みが１１ｍｍ、直径が７６ｍｍの円形で、全体重量が２００ｇのものを用いた。また、その電磁波は、最大１５２．０４ガウスであった。本テストは２００７年２月２７日午後２時に、ザラメ雪でやや汚れた雪の緩斜面において、直滑降クローチングにて行い、計測にはブロワータイミングを用いた。滑走は、昨年度苗場スキー場で行われたワールドカップ・フリースタイルスキークロスで優勝した選手にお願いした。
【００１９】
滑走は、次の３条件でそれぞれ２度行い、その都度計測した。
（１）本装置１を取り付けないで滑走した。
（２）本装置１を先端から１０ｃｍの部位に取り付けて滑走した。
（３）本装置１を先端から６０ｃｍの部位に取り付けて滑走した。
2008237363.tif 000003
【００２０】
上記表中の実測データから、本装置１を装備した場合と装備してない場合とでは、１００分の１秒あるいは１０分の１秒単位の違いがあることが分かり、１００分の１秒を争うスキーのスピード競技においては、その違いは顕著ということができる。そして、設置個所としては、先端側、特に先端から１０ｃｍ付近に取り付けた場合において、すぐれた効果が得られることを確認することができた。
【００２１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２２】
【図１】本発明に係る雪上滑走抵抗低減装置の一実施形態の縦断面図である。
【図２】本発明に係る雪上滑走抵抗低減装置を備えたスキー板を示す図である。
【符号の説明】
【００２３】
１    雪上滑走抵抗低減装置
２    ケース
３    永久磁石
４    セラミックス層
５    底面
１０    スキー板
【図１】
2008237363.tif 000004
【図２】
2008237363.tif 000005